(57)【要約】【課題】部品の点数が少なく、各部品の製作や組立てが比較的容易に行なうことができるヘッド部と把持部との着脱機構及びこれを用いた歯科用ハンドピースを提供する。【解決手段】ヘッド部３０と把持部２０との着脱機構は、ヘッド部の接続端部３３に係止部材３５が設けられ、受け口２１には係止部材３５が係合する係合部２３が形成され、係合部に係合された係止部を外部から操作して係合解除するための孔２２が把持部に形成された。【選択図】      図２
2004159740.tif 000002
【特許請求の範囲】
【請求項１】
歯科処理工具を着脱可能に受理するスリーブが回転可能に支承されたヘッド部と、該ヘッド部から延びる接続端部が挿着される受け口を備えた把持部との着脱機構であって、前記接続端部には係止部材が設けられ、前記受け口には前記係止部材が係合する係合部が形成され、前記係合部に係合された前記係止部を外部から操作して係合解除するための孔が把持部に形成され、
前記係止部材は、前記受け口で押圧されると弾性変形して前記接続端部を前記受け口へ挿入する操作を可能にし、前記接続端部が所定位置まで挿入されると前記受け口による押圧が解除されて、前記係合部に前記係止部材が係合し、前記接続端部が前記受け口から抜けることを防止するように形成された着脱機構。
【請求項２】
前記係合部として前記受け口の内周面に溝が形成され、前記溝に係合するように突出する弾性部材が前記係止部材として前記接続端部に設けられ、前記接続端部には前記弾性部材が押圧力を受けて弾性変形したときに収容される溝が設けられたことを特徴とする請求項１記載の着脱機構。
【請求項３】
前記弾性部材は、前記接続端部に着脱可能に嵌められる円弧状の嵌装部と、前記受け口の溝に係合する弾性突出片とを備えることを特徴とする請求項２記載の着脱機構。
【請求項４】
前記請求項１記載のヘッド部と把持部の着脱機構を備える歯科用ハンドピース。
【発明の詳細な説明】
【０００１】
【発明の属する技術分野】
本発明はヘッド部と把持部の着脱機構及びこれを用いた歯科用ハンドピースに関する。
【０００２】
【従来の技術】
歯科用ハンドピースには、圧縮空気により歯科処置工具を回転駆動させるエアタービン式のものと、モータ等の回転力をギアやシャフトにより伝達して歯科処置工具を回転駆動させるギア駆動式のものがある。歯科用ハンドピースは、両タイプともに切削刃などの歯科処置工具を受理して着脱自在に保持するスリーブを内蔵するヘッド部と、ヘッド部の後方に接続されて手指により把持される把持部とを備え、これらのヘッド部と把持部とは接続されて着脱装置により一体化されている。
【０００３】
例えば、実公昭６１−２２５８２号公報（特許文献１）には、歯科用ハンドピースにおけるコントラヘッド着脱装置が記載されており、コントラヘッドと本体とがワンタッチ操作により着脱できるようになっている。すなわち、コントラヘッド側の後端部の周面にはボール受穴が設けられ、本体側にはボール覗き孔にボールが配置され、このボールがボール押えリング、押圧リング及びスプリングによりボール覗き孔から突き出たり、引き込まれるように構成されている。そして、コントラヘッドと本体のロック時には、ボールがボール覗き孔から突き出てボール受穴に係合している。
【０００４】
【特許文献１】実公昭６１−２２５８２号公報
【０００５】
【発明が解決しようとする課題】
以上の特許文献１に記載された着脱装置は、本体の外鞘の先端小径部に、これとは別の部品、すなわち、ボール、ボール押えリング、押圧リング及びスプリングを取り付けて構成されるため、部品の点数が多く、各部品の製作や組立てに手間が掛かり煩雑であるという課題がある。
【０００６】
本発明は上記従来技術の欠点に着目し、これを解決せんとしたものであり、その課題は、部品の点数が少なく、各部品の製作や組立てが比較的容易に行なうことができるヘッド部と把持部との着脱機構及びこれを用いた歯科用ハンドピースを提供することにある。
【０００７】
【課題を解決するための手段】
本発明では、歯科処理工具を着脱可能に受理するスリーブが回転可能に支承されたヘッド部と、該ヘッド部から延びる接続端部が挿着される受け口を備えた把持部との着脱機構であって、前記接続端部には係止部材が設けられ、前記受け口には前記係止部材が係合する係合部が形成され、前記係合部に係合された前記係止部を外部から操作して係合解除するための孔が把持部に形成され、前記係止部材は、前記受け口で押圧されると弾性変形して前記接続端部を前記受け口へ挿入する操作を可能にし、前記接続端部が所定位置まで挿入されると前記受け口による押圧が解除されて、前記係合部に前記係止部材が係合し、前記接続端部が前記受け口から抜けることを防止するように形成された着脱機構が提供される。
本発明では、係止部材だけが別部品として形成されて、これがヘッド部の接続端部に取り付けられ、係合部は受け口に形成され、操作孔は把持部に穿設されるので、特許文献１に記載された着脱装置に比べると、部品の点数は格段に少なく、製作や組立ての手間が容易になった。
【０００８】
本発明では、前記係合部として前記受け口の内周面に溝を形成し、前記溝に係合するように突出する弾性部材を前記係止部材として前記接続端部に設け、前記接続端部には前記弾性部材が押圧力を受けて弾性変形したときに収容される溝を設けた構成にすることができる。
【０００９】
また本発明では、前記弾性部材は、前記接続端部が着脱可能に嵌められる円弧状の嵌装部と、前記受け口の溝に係合する弾性突出片とを備えるように構成にすることができる。
【００１０】
本発明のヘッド部と把持部との着脱機構は、エアタービン式及びギア駆動式のいずれの歯科用ハンドピースにも適用可能である。
【００１１】
【発明の実施の態様】
以下、本発明の実施例を添付図面に基づいて説明するが、本発明はこれに限定されるものではない。
【００１２】
図１は本発明の歯科用ハンドピース１０の一実施態様であり、図２は図１を部分的に拡大し、部分的に破断して示した側面図であり、図５はヘッド部３０の斜視図である。
歯科用ハンドピース１０は、把持部２０とヘッド部３０とが接続されたエアタービン式のハンドピースである。
ヘッド部３０には、歯科処理工具３２を着脱可能に受理するスリーブ（図示せず）がケーシング３１内に支承され、接続端部３３が後方に延びるように設けられている。この接続端部３３には突出片収容溝３６ａと円周溝３６ｂとが刻設されており、ここに係止部材３５が嵌められ、その前方にパッキングとしてのＯリング３４が環装されている。
【００１３】
この係止部材３５は、図４に示したように、円弧状に形成された嵌装部３５ｂと、この嵌装部３５ｂのほぼ中央から突出するように一体に形成された弾性突出片３５ａとを備え、弾性変形可能な薄板、例えば、厚さが数百ミクロン程度のステンレス鋼板などから形成される。嵌装部３５ｂは、図５に示したように、接続端部３３の円周溝３６ｂに嵌められ、また弾性突出片３５ａは突出片収容溝３６ａに配置される。弾性突出片３５ａは、上から押圧力が作用していない状態では、突出片収容溝３６ａから外側に出ており、図２及び図５に示したように、その先端部分が最も外側に突出するように形成されており、逆に、上から押圧力が作用すると、弾性突出片３５ａは弾性変形して突出片収容溝３６ａに押し込まれ、接続端部３３の外周面と同じ位置まで変位する。
なお、接続端部３３には、図５に示したように、圧縮空気の排気管３７ａ、スプレー用給気管３７ｂ、スプレー用給水管３７ｃ、圧縮空気の給気管３７ｄが設けられ、一方、把持部２０側にもこれら配管に対向する配管が設けられ、各配管どうしの配置により、ヘッド部３０と把持部２０の接続時における位置決めがなされる。
【００１４】
把持部２０には、その後端に連結部２８が設けられ、前端にヘッド部３０の接続端部３３を挿着するための受け口２１が設けられ、ここから若干内方へ進んだ内周面には係止部材３５の弾性突出片３５ａが係合する係合部としての溝２３が刻設され、さらに、内方へ進んだ位置にパッキング２５が配置され、このパッキング２５から突出するように給気管２４、スプレー用給水管２７、スプレー用給気管２６、排気管（図示せず）が設けられている。また把持部２０の先端には、図３に示したように孔２２が穿設されており、この孔２２は、弾性突出片３５ａが溝２３に係合したときに、この弾性突出片３５ａの先端部分の上に位置するように設けられる。
【００１５】
次に、本発明の着脱機構の作用について説明する。
図２ではヘッド部３０が把持部２０から外された状態が図示されており、このとき、図２及び図５に示したように、弾性突出片３５ａは接続端部３３の外周面よりも外側に突出している。
以上のヘッド部３０の接続端部３３を把持部２０の受け口２１に挿入すると、受け口２１の内周面により弾性突出片３５ａが押圧されて弾性変形し、接続端部３３の突出片収容溝３６ａに弾性突出片３５ａが押し込まれ、接続端部３３の外周面と同じ位置まで変位する。この変位により、接続端部３３の受け口２１への挿入操作が可能になる。ヘッド部３０の接続端部３３が、図１の状態まで挿入されると、受け口２１による弾性突出片３５ａの押圧状態が解除されて、図３に示したように、弾性突出片３５ａの先端が溝２３に係合し、この係合によりヘッド部３０の接続端部３３が受け口２１から抜けることは防止される。
【００１６】
逆に、把持部２０からヘッド部３０を引き抜く場合には、針のように先端が尖った工具を孔２２から挿入し、弾性突出片３５ａを図３において二点鎖線で示した状態まで下方に押し込めば、弾性突出片３５ａの先端と溝２３の係合状態は解除され、ヘッド部３０を把持部２０から引き抜くことが可能になる。
【００１７】
次に、図６は図１とは異なる歯科用ハンドピース４０を示す側面図である。
歯科用ハンドピース４０は、モータ等の回転力をギアやシャフトにより伝達して歯科処置工具５２を回転駆動させるギア駆動式のハンドピースであって、把持部６０とヘッド部５０とから構成される。この歯科用ハンドピース４０においても、図１の歯科用ハンドピース１０と同様に、ヘッド部５０の接続端部５３に形成された溝５６ａ，５６ｂに係止部材３５が嵌められ、把持部６０の受け口６１の後方内周面に弾性突出片３５ａが係合する係合部としての溝（図示せず）が刻設され、この溝に係合された係止部材３５の弾性突出片３５ａを外部から操作して係合解除するための孔（図示せず）が把持部６０に形成されている。
したがって、歯科用ハンドピース４０では、歯科処置工具５２を回転駆動させるための機構が図１の歯科用ハンドピース１０と異なるだけであり、把持部６０とヘッド部５０との着脱機構は、図１の歯科用ハンドピース１０のものと同様の作用が得られるように同様に構成される。
【００１８】
【発明の効果】
本発明によれば、着脱機構を構成する係止部材、係合部、係合解除するための孔のうち、係止部材だけがヘッド部や把持部とは別の部品として形成されるものであり、係合部は受け口に形成され、係合解除するための孔は把持部に穿設され、したがって、特許文献１に記載された着脱装置に比べると、部品の点数は格段に少なく、製作や組立ての手間が容易になる。
【図面の簡単な説明】
【図１】本発明の一実施態様である歯科用ハンドピースの側面図である。
【図２】図１を部分的に拡大し、部分的に破断して示した側面図である。
【図３】ヘッド部と把持部との接続部を部分的に示した断面図である。
【図４】弾性部材の一実施態様の斜視図である。
【図５】ヘッド部の斜視図である。
【図６】図１とは異なる一実施態様を示す側面図である。
従来例を示す断面図である。
【符号の説明】
１０  歯科用ハンドピース
２０  把持部
２１  受け口
２２  孔
２３  係合部
３０  ヘッド部
３２  歯科処理工具
３３  接続端部
３５  係止部材
４０  歯科用ハンドピース
５０  ヘッド部
５２  歯科処理工具
６０  把持部
６１  受け口
【図１】
2004159740.tif 000003
【図２】
2004159740.tif 000004
【図３】
2004159740.tif 000005
【図４】
2004159740.tif 000006
【図５】
2004159740.tif 000007
【図６】
2004159740.tif 000008